(57)【要約】【課題】作業者の技能を問わず、重ねられた各網状鉄筋の位置を適切且つ容易に保持する。【解決手段】位置保持具２０が、コンクリート構造物１の厚み方向に重ねられた第一網状鉄筋１０Ａ及び第二網状鉄筋１０Ｂのうち、第一網状鉄筋１０Ａの縦筋１１Ａと係合する第一係合部２１と、第二網状鉄筋１０Ｂの縦筋１１Ｂと係合する第二係合部２２Ｌ、２２Ｒと、第一係合部２１及び第二係合部２２Ｌ、２２Ｒの間を連結する連結部２３Ｌ、２３Ｒと、を有する。そして、第一係合部２１及び第二係合部２２Ｌ、２２Ｒの各々が対応する縦筋１１Ａ、１１Ｂと係合することで、第一係合部２１が係合する縦筋１１Ａと第二係合部２２Ｌ、２２Ｒが係合する縦筋１１Ｂとの間隔が、連結部２３Ｌ、２３Ｒの延出量に応じた長さに保たれる。【選択図】図６
2019035213.tif 000002
【特許請求の範囲】
【請求項１】
コンクリート構造物の内部において該コンクリート構造物の厚み方向に重ねられた第一網状鉄筋及び第二網状鉄筋の位置を保持するための位置保持具であって、
前記第一網状鉄筋を構成する鉄筋と係合する第一係合部と、
前記第二網状鉄筋を構成する鉄筋と係合する第二係合部と、
前記第一係合部及び前記第二係合部の間を連結する連結部と、を有し、
前記第一係合部及び前記第二係合部の各々が鉄筋と係合することで、前記第一係合部が係合する鉄筋と前記第二係合部が係合する鉄筋との間隔が、前記連結部における前記第一係合部との接続箇所から前記第二係合部との接合箇所までの距離に応じた長さに保たれることを特徴とする位置保持具。
【請求項２】
前記第一係合部、前記第二係合部及び前記連結部は、一つの線状部材によって構成されていて一体化しており、
前記第一係合部は、前記線状部材の中央部を、前記第一網状鉄筋を構成する鉄筋の外縁に沿うように湾曲させることで構成されており、
前記第二係合部は、前記線状部材の端部を、前記第一網状鉄筋を構成する鉄筋の外縁に沿うように湾曲させることで構成されていることを特徴とする請求項１に記載の位置保持具。
【請求項３】
前記第二係合部は、前記線状部材の両端部に構成されており、
前記第一係合部が鉄筋と係合している箇所の両側で、前記第二係合部が鉄筋と係合していることを特徴とする請求項２に記載の位置保持具。
【請求項４】
前記第一係合部及び前記第二係合部の各々は、第一方向に延出する鉄筋に係合し、
前記第一係合部及び前記第二係合部の各々が鉄筋と係合した状態では、前記第一方向と直交する第二方向に沿って前記第一係合部、前記第二係合部及び前記連結部が並び、前記第二方向において前記間隔が前記距離に応じた長さに保たれることを特徴とする請求項１乃至３のいずれか一項に記載の位置保持具。
【請求項５】
前記第一係合部及び前記第二係合部の各々は、前記第一網状鉄筋及び前記第二網状鉄筋が重ねられている領域内で鉄筋と係合していることを特徴とする請求項１乃至４のいずれか一項に記載の位置保持具。
【請求項６】
前記連結部は、前記第一係合部から延出している第一延出部と、該第一延出部と隣接し該第一延出部と交差する方向に延出している第二延出部と、前記第二係合部と前記第二延出部とを連結しており前記第一延出部に沿って延出している第三延出部と、を有し、該第三延出部が前記第二延出部を支点として揺動するように変形することが可能であることを特徴とする請求項１乃至５のいずれか一項に記載の位置保持具。
【請求項７】
前記厚み方向が上下方向に沿っているときに、前記第一係合部は、前記第二網状鉄筋の上方に位置する前記第一網状鉄筋を構成する鉄筋に当該鉄筋の上方から係合しており、前記第二係合部は、前記第一網状鉄筋の下方に位置する前記第二網状鉄筋を構成する鉄筋に当該鉄筋の下方から係合していることを特徴とする請求項１乃至６のいずれか一項に記載の位置保持具。
【請求項８】
前記第一係合部、前記第二係合部及び前記連結部は、前記第一網状鉄筋を構成する鉄筋の色、及び、前記第二網状鉄筋を構成する鉄筋の色とは異なる色にて着色されていることを特徴とする請求項１乃至７のいずれか一項に記載の位置保持具。
【請求項９】
コンクリート構造物であって、
該コンクリート構造物の内部において前記コンクリート構造物の厚み方向に重ねられた第一網状鉄筋及び第二網状鉄筋の位置を保持するための位置保持具を備え、
該位置保持具は、
前記第一網状鉄筋を構成する鉄筋と係合する第一係合部と、
前記第二網状鉄筋を構成する鉄筋と係合する第二係合部と、
前記第一係合部及び前記第二係合部の間を連結する連結部と、を有し、
前記第一係合部及び前記第二係合部の各々が鉄筋と係合することで、前記第一係合部が係合する鉄筋と前記第二係合部が係合する鉄筋との間隔が、前記連結部における前記第一係合部との接続箇所から前記第二係合部との接合箇所までの距離に応じた長さに保たれていることを特徴とするコンクリート構造物。
【請求項１０】
建物の床をなし、前記第一網状鉄筋及び前記第二網状鉄筋が上下方向に重ねられていることを特徴とする請求項９に記載のコンクリート構造物。
【発明の詳細な説明】
【技術分野】
【０００１】
本発明は、位置保持具及びコンクリート構造物に係り、特に、コンクリート構造物の内部において重ねられた第一網状鉄筋及び第二網状鉄筋の位置を保持するための位置保持具、及び、当該位置保持具を用いて構築されたコンクリート構造物に関する。
【背景技術】
【０００２】
床等のコンクリート構造物において、ひび割れの発生を抑える等の理由から網状鉄筋を当該コンクリート構造物の内部に埋設することは、既に知られている（例えば、特許文献１参照）。通常、網状鉄筋は、コンクリート構造物内において複数埋設される。複数の網状鉄筋は、コンクリート構造物の厚み方向において部分的に重なるように配置される。
【０００３】
ここで、コンクリート構造物内で重ねられた網状鉄筋中、隣接する二つの網状鉄筋のうちの一つを第一網状鉄筋とし、もう一つを第二網状鉄筋としたとき、これら二つの網状鉄筋は、各々の重ね代（重ねられる部分の長さ）が所定の長さとなるように配置される。その上で、第一網状鉄筋に対する第二網状鉄筋の位置（換言すると、第二網状鉄筋に対する第一網状鉄筋の位置）を保持する必要がある。
【先行技術文献】
【特許文献】
【０００４】
【特許文献１】特公平７−９１８７８号公報
【発明の概要】
【発明が解決しようとする課題】
【０００５】
所定の重ね代となるように第一網状鉄筋及び第二網状鉄筋を重ね、その位置にて各網状鉄筋を保持する方法としては、例えば、結束線等によって網状鉄筋同士を結束することが挙げられる。ただし、このような方法を利用した場合、網状鉄筋の配置位置の精度等が作業者の技能に応じて変わってしまう可能性がある。網状鉄筋を用いてコンクリート構造物を構築する際の施工品質を確保する上では、作業者の技能を問わず、重ねられた第一網状鉄筋及び第二網状鉄筋の各々の位置を適切且つ容易に保持する必要がある。
【０００６】
そこで、本発明は、上記の課題に鑑みてなされたものであり、その目的とするところは、作業者の技能を問わず、重ねられた各網状鉄筋の位置を適切且つ容易に保持するための位置保持具を提供することである。
また、本発明の他の目的は、重ねられた各網状鉄筋の位置を適切且つ容易に保持したままの状態で構築することが可能なコンクリート構造物を提供することである。
【課題を解決するための手段】
【０００７】
前記課題は、本発明の位置保持具によれば、コンクリート構造物の内部において該コンクリート構造物の厚み方向に重ねられた第一網状鉄筋及び第二網状鉄筋の位置を保持するための位置保持具であって、前記第一網状鉄筋を構成する鉄筋と係合する第一係合部と、前記第二網状鉄筋を構成する鉄筋と係合する第二係合部と、前記第一係合部及び前記第二係合部の間を連結する連結部と、を有し、前記第一係合部及び前記第二係合部の各々が鉄筋と係合することで、前記第一係合部が係合する鉄筋と前記第二係合部が係合する鉄筋との間隔が、前記連結部における前記第一係合部との接続箇所から前記第二係合部との接合箇所までの距離に応じた長さに保たれることにより解決される。
【０００８】
上記のように構成された本発明の位置保持具は、重ねられた第一網状鉄筋及び第二網状鉄筋のうち、第一網状鉄筋を構成する鉄筋と係合する第一係合部と、第二網状鉄筋を構成する鉄筋と係合する第二係合部と、第一係合部及び第二係合部の間を連結する連結部と、を有する。そして、第一係合部及び第二係合部の各々が対応する鉄筋と係合すると、第一係合部が係合する鉄筋と第二係合部が係合する鉄筋との間隔が、連結部における第一係合部との接続箇所から第二係合部との接合箇所までの距離に応じた長さに保たれる。これにより、所定の重ね代となるような配置位置にて第一網状鉄筋及び第二網状鉄筋の各々を保持することが可能となる。すなわち、本発明の位置保持具を用いれば、作業者の技能を問わず、重ねられた各網状鉄筋の位置を適切且つ容易に保持することが可能となる。
【０００９】
また、上記の位置保持具において、前記第一係合部、前記第二係合部及び前記連結部は、一つの線状部材によって構成されていて一体化しており、前記第一係合部は、前記線状部材の中央部を、前記第一網状鉄筋を構成する鉄筋の外縁に沿うように湾曲させることで構成されており、前記第二係合部は、前記線状部材の端部を、前記第一網状鉄筋を構成する鉄筋の外縁に沿うように湾曲させることで構成されていると、好適である。
上記の構成によれば、第一係合部、第二係合部及び連結部を有する位置保持具が比較的簡単な構成によって実現される。具体的には、一つの線状部材の各箇所を湾曲させることで位置保持具を成形することが可能となる。
【００１０】
また、上記の位置保持具において、前記第二係合部は、前記線状部材の両端部に構成されており、前記第一係合部が鉄筋と係合している箇所の両側で、前記第二係合部が鉄筋と係合していると、より好適である。
上記の構成では、第一係合部が鉄筋と係合している箇所の両側で、第二係合部が鉄筋と係合している。すなわち、位置保持具が３箇所にて網状鉄筋に締結されるので、各網状鉄筋に対する位置保持具の取り付け状態をより安定化させることが可能となる。
【００１１】
また、上記の位置保持具において、前記第一係合部及び前記第二係合部の各々は、第一方向に延出する鉄筋に係合し、前記第一係合部及び前記第二係合部の各々が鉄筋と係合した状態では、前記第一方向と直交する第二方向に沿って前記第一係合部、前記第二係合部及び前記連結部が並び、前記第二方向において前記間隔が前記距離に応じた長さに保たれると、さらに好適である。
上記の構成では、第一係合部及び第二係合部の各々が鉄筋と係合することにより、当該鉄筋の延出方向（第一方向）と直交する方向（第二方向）において、重ね代を所定の長さに調整することが可能となる。
【００１２】
また、上記の位置保持具において、前記第一係合部及び前記第二係合部の各々は、前記第一網状鉄筋及び前記第二網状鉄筋が重ねられている領域内で鉄筋と係合していると、より一層好適である。
上記の構成では、第一係合部及び第二係合部の各々が、第一網状鉄筋及び第二網状鉄筋が重ねられている領域内で鉄筋と係合している。かかる構成であれば、所定の重ね代となるように重ねられた各網状鉄筋を、その配置位置に保持しておくことがより容易になる。
【００１３】
また、上記の位置保持具において、前記連結部は、前記第一係合部から延出している第一延出部と、該第一延出部と隣接し該第一延出部と交差する方向に延出している第二延出部と、前記第二係合部と前記第二延出部とを連結しており前記第一延出部に沿って延出している第三延出部と、を有し、該第三延出部が前記第二延出部を支点として揺動することが可能であると、尚一層好適である。
上記の構成では、連結部が、第一延出部、第一延出部と交差する第二延出部、及び、第二係合部と第二延出部とを連結する第三延出部を有する。そして、連結部は、第三延出部が第二延出部を支点として揺動するように変形することが可能である。また、第一係合部が鉄筋と係合している状態では、第二延出部が、第一係合部が係合している鉄筋に沿っている。かかる構成であれば、第二係合部を鉄筋に係合させる際に連結部を上述の如く変形させることにより、比較的容易に第二係合部を鉄筋に係合させることが可能となる。
【００１４】
また、上記の構成において、前記厚み方向が上下方向に沿っているときに、前記第一係合部は、前記第二網状鉄筋の上方に位置する前記第一網状鉄筋を構成する鉄筋に当該鉄筋の上方から係合しており、前記第二係合部は、前記第一網状鉄筋の下方に位置する前記第二網状鉄筋を構成する鉄筋に当該鉄筋の下方から係合していると、益々好適である。
上記の構成では、より上方に位置する第一網状鉄筋中の鉄筋に第一係合部が上方から係合し、より下方に位置する第二網状鉄筋中の鉄筋に第二係合部が下方から係合する。このように第一係合部が鉄筋と係合する際の向きと、第二係合部が鉄筋と係合する際の向きと、が互いに対向し合う向きになっていれば、各係合部と鉄筋との係合状態が解除され難くなる。この結果、各網状鉄筋に対する位置保持具の取り付け状態をより安定化させることが可能となる。
【００１５】
また、上記の構成において、前記第一係合部、前記第二係合部及び前記連結部は、前記第一網状鉄筋を構成する鉄筋の色、及び、前記第二網状鉄筋を構成する鉄筋の色とは異なる色にて着色されていると、一段と好適である。
上記の構成では、位置保持具の色が第一網状鉄筋の色及び第二網状鉄筋の色と異なっている。これにより、位置保持具が視認され易くなる。また、位置保持具が視認され易くなっていれば、重ねられた第一網状鉄筋及び第二網状鉄筋に位置保持具を取り付けられている状況を確認し易くなる。ここで、各網状鉄筋に位置保持具が取り付けられている場合、所定の重ね代が確保された配置位置にて各網状鉄筋が保持されていることになる。したがって、重ねられた第一網状鉄筋及び第二網状鉄筋に位置保持具を取り付けられている状況を確認することで、所定の重ね代が確保された配置位置にて各網状鉄筋が保持されていることを容易に確認することが可能となる。
【００１６】
また、前述の課題は、本発明のコンクリート構造物によれば、網状鉄筋が内部に埋設されたコンクリート構造物であって、該コンクリート構造物の内部において前記コンクリート構造物の厚み方向に重ねられた第一網状鉄筋及び第二網状鉄筋の位置を保持するための位置保持具を備え、該位置保持具は、前記第一網状鉄筋を構成する鉄筋と係合する第一係合部と、前記第二網状鉄筋を構成する鉄筋と係合する第二係合部と、前記第一係合部及び前記第二係合部の間を連結する連結部と、を有し、前記第一係合部及び前記第二係合部の各々が鉄筋と係合することで、前記第一係合部が係合する鉄筋と前記第二係合部が係合する鉄筋との間隔が、前記連結部における前記第一係合部との接続箇所から前記第二係合部との接合箇所までの距離に応じた長さに保たれていることにより解決される。
上記のように構成されたコンクリート構造物であれば、上述の位置保持具を用いることにより、重ねられた第一網状鉄筋及び第二網状鉄筋の位置を適切且つ容易に保持した状態で当該コンクリート構造物を構築することが可能となる。
【００１７】
また、上記のコンクリート構造物において、建物の床をなし、前記第一網状鉄筋及び前記第二網状鉄筋が上下方向に重ねられていてもよい。
上記の構成であれば、上述の位置保持具を用いることにより、上下に重ねられた第一網状鉄筋及び第二網状鉄筋を各々の配置位置に適切且つ容易に保持した状態で、建物の床をなすコンクリート構造物を構築することが可能となる。
【発明の効果】
【００１８】
本発明によれば、重ねられた複数の網状鉄筋が内部に埋設されるコンクリート構造物を構築するにあたり、作業者の技能を問わず、所定の重ね代となるような配置位置にて各網状鉄筋を保持することが可能となる。
【図面の簡単な説明】
【００１９】
【図１】本発明の一実施形態に係るコンクリート構造物の模式断面図である。
【図２Ａ】網状鉄筋の重ね方についての説明図であり、一つの網状鉄筋の平面図である。
【図２Ｂ】網状鉄筋の重ね方についての説明図であり、図２Ａに図示の網状鉄筋の上に他の網状鉄筋を重ねた状態を示す平面図である。
【図３】本発明の一実施形態に係る位置保持具の平面図である。
【図４】本発明の一実施形態に係る位置保持具の正面図である。
【図５】網状鉄筋に位置保持具が取り付けられた状態を、上方から見た図である。
【図６】網状鉄筋に位置保持具が取り付けられた状態を、図５中のＰ−Ｐ方向から見た図である。
【図７Ａ】位置保持具の取り付け手順を示す図である（その１）。
【図７Ｂ】位置保持具の取り付け手順を示す図である（その２）。
【発明を実施するための形態】
【００２０】
以下、本発明の一実施形態（以下、本実施形態）について説明する。なお、以下に説明する実施形態は、本発明の理解を容易にするためのものであり、本発明を限定するものではない。すなわち、本発明は、その趣旨を逸脱することなく、変更、改良され得る。また、当然ながら、本発明にはその等価物が含まれる。また、以下に説明する各部材の寸法、形状及び材質等は、あくまでも一例であり、本発明の効果が発揮され得るものである限り、任意に設計することが可能である。
【００２１】
なお、以下の説明では、水平方向において互いに直交する二つの方向のうちの一方を「第一方向」と呼ぶこととし、他方を「第二方向」と呼ぶこととする。
【００２２】
＜＜本実施形態に係るコンクリート構造物の概要＞＞
先ず、本実施形態に係るコンクリート構造物（以下、コンクリート構造物１）について図１を参照しながら説明する。図１は、コンクリート構造物１の模式断面図である。
【００２３】
コンクリート構造物１は、鉄筋コンクリート製の構造物であり、建物の床をなしている。コンクリート構造物１の内部には、図１に示すように、ひび割れ発生防止等の目的から網状鉄筋１０が埋設されている。網状鉄筋１０は、公知のワイヤメッシュであり、複数の縦筋と複数の横筋を格子状に配置し、各交差箇所にて両鉄筋を溶着することで構成されている。コンクリート構造物１の内部において、網状鉄筋１０は、縦筋が第一方向に沿い、かつ、横筋が第二方向に沿うように配置されている。
【００２４】
また、コンクリート構造物１の内部では、図１に示すように、複数の網状鉄筋１０が上下方向（コンクリート構造物１の厚み方向に相当）に折り重ねられている。重ねられている複数の網状鉄筋１０の各々は、同様の構成となっており、具体的には縦筋及び横筋の各々の長さ、太さ及び数、並びに鉄筋間の間隔等が網状鉄筋１０同士の間で揃っている。なお、図１では、図示を分かり易くするために、図示する網状鉄筋１０の数を実際の数よりも少なくしており、具体的には二つの網状鉄筋１０のみを図示している。
【００２５】
また、本実施形態におけるコンクリート構造物１の内部には、重ねられた複数の網状鉄筋１０の各々をその配置位置に保持するための部材として、後述の位置保持具２０が埋設されている。なお、説明の都合上、図１では位置保持具２０の図示を省略している。
【００２６】
＜＜網状鉄筋１０の重ね方について＞＞
次に、網状鉄筋１０の重ね方について図１、図２Ａ及び図２Ｂを参照しながら説明する。図２Ａ及び図２Ｂは、網状鉄筋の重ね方についての説明図であり、図２Ａは、一つの網状鉄筋の平面図であり、図２Ｂは、図２Ａに図示の網状鉄筋の上に他の網状鉄筋を重ねた状態を示す平面図である。また、図２Ａ及び図２Ｂでは、第一方向及び第二方向が矢印にて表記されている。
【００２７】
なお、以下では、説明を分かり易くするために、重ねられている複数の網状鉄筋１０中、上下方向において互いに隣り合う二つの網状鉄筋１０に注目することとする。ここで、上下方向において互いに隣り合う二つの網状鉄筋１０のうち、より上方に位置する網状鉄筋１０を第一網状鉄筋１０Ａとし、より下方に位置する網状鉄筋１０を第二網状鉄筋１０Ｂとする。
【００２８】
第一網状鉄筋１０Ａ及び第二網状鉄筋１０Ｂは、図１に示すように第二方向における端部同士が重なるように配置される。より詳しく説明すると、第一網状鉄筋１０Ａ及び第二網状鉄筋１０Ｂは、重なっている部分の第二方向における長さ（図１中、記号ｔにて示す長さであり、以下、「重ね代」という）が所定の長さとなるように重ねられる。
【００２９】
重ね代ｔの設定値については、任意の長さに決定することができるが、網状鉄筋１０を効率よく利用する観点では、極力小さくするのが望ましい。一方で、網状鉄筋１０同士を上下に折り重ねている状態は、重ね代ｔを大きくするほど良好に維持される。本実施形態では、これら二つの観点から最適な重ね代ｔを設定しており、具体的には、網状鉄筋１０の網目一つ（１メッシュ）分の長さに若干の余長を加えた長さを重ね代ｔとして設定している。
【００３０】
第一網状鉄筋１０Ａ及び第二網状鉄筋１０Ｂは、コンクリート構造物１を構築する作業においてコンクリートを打設する前の時点で所定箇所（具体的には、床の設置箇所）にて重ねられる。具体的に説明すると、図２Ａに示すように、先ず第二網状鉄筋１０Ｂを配置する。この際、同図に示すように、縦筋１１Ｂが第一方向に沿い、かつ、横筋１２Ｂが第二方向に沿うように第二網状鉄筋１０Ｂを配置する。
【００３１】
その後、第一網状鉄筋１０Ａを、図２Ｂに示すように第二網状鉄筋１０Ｂの上に重ねる。具体的には、第一網状鉄筋１０Ａの縦筋１１Ａが第一方向に沿い、かつ、横筋１２Ａが第二方向に沿うように第一網状鉄筋１０Ａを第二網状鉄筋１０Ｂの上に載せる。このとき、第一網状鉄筋１０Ａの横筋１２Ａが第二網状鉄筋１０Ｂの横筋１２Ｂの直上位置に配置し、上述の重ね代ｔだけ重なるように第一網状鉄筋１０Ａを配置する。
【００３２】
以上の手順により、第一網状鉄筋１０Ａ及び第二網状鉄筋１０Ｂは、図２Ｂに示すように、所定の重ね代ｔが確保された状態で重なるようになる。かかる状態では、同図に示すように、第二方向で第一網状鉄筋１０Ａ及び第二網状鉄筋１０Ｂが重ねられている領域（以下、「重なり領域Ｗ」という）において、第二網状鉄筋１０Ｂの縦筋１１Ｂの間に第一網状鉄筋１０Ａの縦筋１１Ａが位置している。
【００３３】
なお、第一網状鉄筋１０Ａを構成する鉄筋（縦筋１１Ａ及び横筋１２Ａ）の色と、第二網状鉄筋１０Ｂを構成する鉄筋（縦筋１１Ｂ及び横筋１２Ｂ）の色は、ともに同色（厳密には鋼色）であるが、図２Ｂでは、図示の都合上、第一網状鉄筋１０Ａと第二網状鉄筋１０Ｂとを互いに異なる色にて図示している。
【００３４】
本実施形態では、所定の重ね代ｔが確保された状態で重ねられた第一網状鉄筋１０Ａ及び第二網状鉄筋１０Ｂの各々を、その配置位置にて保持しておくために位置保持具２０が用いられる。この位置保持具２０は、図２Ｂ中、記号Ｘ−Ｘにて示す箇所に配置されて、第一網状鉄筋１０Ａ及び第二網状鉄筋１０Ｂの双方に取り付けられる。
【００３５】
第一網状鉄筋１０Ａ及び第二網状鉄筋１０Ｂが位置保持具２０によって各々の配置位置に保持される結果、コンクリート構造物１を構築する期間中に各網状鉄筋１０の位置がずれてしまう（厳密には、第二方向に移動してしまう）のを抑制することが可能となる。
【００３６】
なお、位置保持具２０は、第一網状鉄筋１０Ａ及び第二網状鉄筋１０Ｂのサイズに応じた個数だけ用いられ、第一方向に沿って一定間隔毎に配置される。位置保持具２０の配置間隔（ピッチ）については、任意の大きさに設定することが可能であるが、コストの観点から位置保持具２０が必要最小限度の個数となるように設定するのがよい。
【００３７】
＜＜位置保持具２０について＞＞
次に、位置保持具２０の構成及び使用方法について、図３乃至図７Ｂを参照しながら説明する。図３及び図４は、位置保持具２０の外観を示す図であり、図３が平面図であり、図４が正面図である。図５及び図６は、網状鉄筋１０に位置保持具２０が取り付けられた状態を示す図であり、図５が上方から見た図であり、図６が図５中の矢視Ｐ−Ｐ方向からから見た図である。図７Ａ及び図７Ｂは、位置保持具２０の取り付け手順を示す図である。
【００３８】
位置保持具２０は、コンクリート構造物１の内部において上下方向に重ねられた第一網状鉄筋１０Ａ及び第二網状鉄筋１０Ｂの位置を保持するための部品である。本実施形態に係る位置保持具２０は、弾性を有する鋼製ワイヤ（線状部材に相当であり、以下、「弾性ワイヤ」と呼ぶ）によって構成されている。より厳密には、弾性ワイヤを図３及び図４に図示した形状となるように折り曲げ加工することで位置保持具２０が構成されている。
【００３９】
また、位置保持具２０の各部（具体的には、後述の第一係合部２１、第二係合部２２Ｌ、２２Ｒ及び連結部２３Ｌ、２３Ｒ）の表面は、第一網状鉄筋１０Ａを構成する鉄筋の色、及び第二網状鉄筋１０Ｂを構成する鉄筋の色とは異なる色で着色されており、本実施形態では黄色にて着色されている。ただし、位置保持具２０各部の色については、黄色に限定されるものではなく、鉄筋の色と異なる色であれば黄色以外の色であってもよい。
【００４０】
位置保持具２０の構成について説明すると、位置保持具２０は、図３及び図４に示すように、第一係合部２１と、第二係合部２２Ｌ、２２Ｒと、連結部２３Ｌ、２３Ｒとを有する。第一係合部２１、第二係合部２２Ｌ、２２Ｒ及び連結部２３Ｌ、２３Ｒは、一つの弾性ワイヤによって構成されていて一体化している。
【００４１】
第一係合部２１は、図５及び図６に示すように第一網状鉄筋１０Ａを構成する鉄筋、具体的には縦筋１１Ａに係合する部分である。この第一係合部２１は、位置保持具２０を構成する弾性ワイヤの中央部を、縦筋１１Ａの外縁に沿うように略Ｕ字状に湾曲させることで構成されている。
【００４２】
第二係合部２２Ｌ、２２Ｒは、図５及び図６に示すように第二網状鉄筋１０Ｂを構成する鉄筋、具体的には縦筋１１Ｂに係合する部分であり、位置保持具２０を構成する弾性ワイヤの両端部に設けられている。より具体的に説明すると、弾性ワイヤの一端部を縦筋１１Ｂの外縁に沿うように略Ｃ字状に湾曲させることで、一つの第二係合部２２Ｌが構成されている。同様に、弾性ワイヤの他端部を縦筋１１Ｂの外縁に沿うように略Ｃ字状に湾曲させることで、もう一つの第二係合部２２Ｒが構成されている。
【００４３】
なお、第二係合部２２Ｌ、２２Ｒを形成するために弾性ワイヤの端部を湾曲させる際に、略Ω形状となるように湾曲させてもよい。ただし、略Ｃ字状に湾曲させて形成された第二係合部２２Ｌ、２２Ｒであれば、縦筋１１Ｂにより容易に係合させることが可能となる。
【００４４】
以降、説明の便宜上、一方の第二係合部２２Ｌを「左側の第二係合部２２Ｌ」と呼ぶこととし、もう一方の第二係合部２２Ｒを「右側の第二係合部２２Ｒ」と呼ぶこととする。
【００４５】
第一係合部２１及び第二係合部２２Ｌ、２２Ｒが係合する鉄筋について説明すると、第一係合部２１及び第二係合部２２Ｌ、２２Ｒは、いずれも第一方向に延出する鉄筋、すなわち、縦筋１１Ａ、１１Ｂと係合する。より詳しく説明すると、第一係合部２１は、第一網状鉄筋１０Ａが有する複数の縦筋１１Ａ中、重なり領域Ｗにおいて第二網状鉄筋１０Ｂの縦筋１１Ｂの間に挟まれた位置にある縦筋１１Ａと係合する。また、本実施形態では、図６に示すように、第一係合部２１が上記の縦筋１１Ａの上方から当該縦筋１１Ａに係合している。
【００４６】
第二係合部２２Ｌ、２２Ｒは、図５に示すように、第一係合部２１が縦筋１１Ａと係合している箇所の両側で、第二網状鉄筋１０Ｂの縦筋１１Ｂと係合している。具体的に説明すると、左側の第二係合部２２Ｌは、第二網状鉄筋１０Ｂが有する複数の縦筋１１Ｂ中、重なり領域Ｗにおいて第一係合部２１が係合する縦筋１１Ａと隣り合う位置にある縦筋１１Ｂと係合する。より厳密に説明すると、左側の第二係合部２２Ｌは、第一係合部２１が係合する縦筋１１Ａの両脇位置に存する縦筋１１Ｂのうち、第二方向における重なり領域Ｗの端位置にある第二網状鉄筋１０Ｂの先端（自由端）により近い縦筋１１Ｂに係合する。
【００４７】
右側の第二係合部２２Ｒは、重なり領域Ｗにおいて第一係合部２１が係合する縦筋１１Ａと隣り合う位置にある縦筋１１Ｂと係合する。より厳密に説明すると、右側の第二係合部２２Ｒは、第一係合部２１が係合する縦筋１１Ａの両脇位置に存する縦筋１１Ｂのうち、第二方向における重なり領域Ｗの端位置にある第二網状鉄筋１０Ｂの先端（自由端）からより離れた縦筋１１Ｂに係合する。
【００４８】
なお、本実施形態では、図５及び図６から分かるように、左側の第二係合部２２Ｌが係合する縦筋１１Ｂが、右側の第二係合部２２Ｒが係合する縦筋１１Ｂに比べて、第一係合部２１が係合する縦筋１１Ａからより離れている。つまり、左側の第二係合部２２Ｌが係合する縦筋１１Ｂと第一係合部２１が係合する縦筋１１Ａとの間隔（以下、第一鉄筋間隔ｄ１）は、右側の第二係合部２２Ｒが係合する縦筋１１Ｂと第一係合部２１が係合する縦筋１１Ａとの間隔（以下、第二鉄筋間隔ｄ２）よりも長くなっている。
【００４９】
また、本実施形態では、図６に示すように、第二係合部２２Ｌ、２２Ｒが対応する縦筋１１Ｂの下方から当該縦筋１１Ｂに係合している。
【００５０】
連結部２３Ｌ、２３Ｒは、第一係合部２１及び第二係合部２２Ｌ、２２Ｒの間を連結する部分であり、図３及び図４に示すように位置保持具２０中の２箇所に設けられている。右側の第二係合部２２Ｒと第一係合部２１との間を連結する連結部２３Ｒ（以下、便宜的に「右側の連結部２３Ｒ」と呼ぶ）は、第一係合部２１から右側の第二係合部２２Ｒに向かって直線状に延出している。なお、右側の連結部２３Ｒの延出量は、前述した重ね代ｔに応じた長さに設定されている。ここで、右側の連結部２３Ｒの延出量とは、第一係合部２１との接続箇所から右側の第二係合部２２Ｒとの接合箇所までの距離のことである。
【００５１】
左側の第二係合部２２Ｌと第一係合部２１との間を連結する連結部２３Ｌ（以下、便宜的に「左側の連結部２３Ｌ」と呼ぶ）は、第一係合部２１から左側の第二係合部２２Ｌに向かって延出しており、途中でクランク状に屈曲している。より詳しく説明すると、左側の連結部２３Ｌは、図３及び図４に示すように、第一延出部２４と第二延出部２５と第三延出部２６とを有する。第一延出部２４は、第一係合部２１から左側の第二係合部２２Ｌが位置する側に向かって直線状に延出している部分である。第二延出部２５は、第一延出部２４と隣接し第一延出部２４と交差する方向に延出している部分である。第三延出部２６は、左側の第二係合部２２Ｌと第二延出部２５とを連結しており第一延出部２４に沿って延出している部分である。
【００５２】
そして、左側の連結部２３Ｌは、第三延出部２６が第二延出部２５を支点として揺動するように弾性変形することが可能である。また、左側の連結部２３Ｌの延出量は、上述した重ね代ｔに応じた長さに設定されている。ここで、左側の連結部２３Ｌの延出量とは、第一係合部２１との接続箇所から左側の第二係合部２２Ｌとの接合箇所までの距離のことである。
【００５３】
以上のように構成された位置保持具２０が重なり領域Ｗにおいて第一網状鉄筋１０Ａ及び第二網状鉄筋１０Ｂの各々に取り付けられることにより、所定の重ね代ｔが確保された配置位置にて各網状鉄筋１０を保持することが可能となる。具体的に説明すると、第一係合部２１及び第二係合部２２Ｌ、２２Ｒの各々が対応する縦筋１１Ａ、１１Ｂと係合した状態では、図５に示すように、第二方向に沿って第一係合部２１、第二係合部２２Ｌ、２２Ｒ及び連結部２３Ｌ、２３Ｒが並んでいる。
【００５４】
そして、第一係合部２１及び第二係合部２２Ｌ、２２Ｒの各々が対応する縦筋１１Ａ、１１Ｂと係合することで、第一鉄筋間隔ｄ１や第二鉄筋間隔ｄ２が第二方向において連結部２３Ｌ、２３Ｒの延出量に応じた長さに保たれる。
【００５５】
より厳密には、第一鉄筋間隔ｄ１が第二方向において左側の連結部２３Ｌの延出量に応じた長さに保たれる。同様に、第二鉄筋間隔ｄ２が第二方向において右側の連結部２３Ｒの延出量に応じた長さに保たれる。ここで、左側の連結部２３Ｌの延出量に応じた長さ、及び、右側の連結部２３Ｒの延出量に応じた長さは、その和が上述した重ね代ｔの設定値に等しくなるように設定されている。したがって、第一鉄筋間隔ｄ１や第二鉄筋間隔ｄ２が第二方向において連結部２３Ｌ、２３Ｒの延出量に応じた長さに保たれれば、第一網状鉄筋１０Ａ及び第二網状鉄筋１０Ｂは、所定の重ね代ｔが確保された配置位置にて保持されることになる。
【００５６】
次に、上述した構成の位置保持具２０を第一網状鉄筋１０Ａ及び第二網状鉄筋１０Ｂの双方に取り付ける手順について、図５、図６、図７Ａ及び図７Ｂを参照しながら説明する。なお、図７Ａ及び図７Ｂには、図示を分かり易くするために、位置保持具２０、並びに位置保持具２０の第一係合部２１及び第二係合部２２Ｌ、２２Ｒが係合する鉄筋（具体的には、縦筋１１Ａ、１１Ｂ）のみを図示している。
【００５７】
位置保持具２０を取り付けるにあたり、上述した手順にて、所定の重ね代ｔが確保されるように第一網状鉄筋１０Ａ及び第二網状鉄筋１０Ｂを重ねておく。このように第一網状鉄筋１０Ａ及び第二網状鉄筋１０Ｂが配置された上で、作業者は、先ず、位置保持具２０を把持しながら当該位置保持具２０を重なり領域Ｗの上方位置、厳密には位置保持具２０の取り付け箇所（図２Ｂ中のＸ−Ｘ位置）の上方位置にセットする。
【００５８】
次に、作業者は、図７Ａ及び図７Ｂに図示の手順にて位置保持具２０の第一係合部２１及び第二係合部２２Ｌ、２２Ｒの各々を、重なり領域Ｗ内で対応する鉄筋（縦筋１１Ａ、１１Ｂ）と係合させる。具体的に説明すると、最初に、図７Ａに示すように、重なり領域Ｗにある縦筋１１Ａ、１１Ｂのうち、第一係合部２１が係合する縦筋１１Ａと隣り合う縦筋１１Ｂに右側の第二係合部２２Ｒを下方から引っ掛けて係合させる。次に、右側の第二係合部２２Ｒを縦筋１１Ｂに係止させたままの状態で当該縦筋１１Ｂを支点として位置保持具２０全体を図７Ａの太線矢印の方向に回動させる。これにより、第一係合部２１が縦筋１１Ａの上方から当該縦筋１１Ａに引っ掛かって係合するようになる。
【００５９】
以上までの手順が終了すると、第一係合部２１が縦筋１１Ａと係合し、左側の連結部２３Ｌに設けられた第二延出部２５が、第一係合部２１が係合している縦筋１１Ａに沿うようになる。
【００６０】
一方、第一係合部２１が縦筋１１Ａと係合した直後の時点では、左側の第二係合部２２Ｌが縦筋１１Ｂ（厳密には、右側の第二係合部２２Ｒが係合した縦筋１１Ｂとは反対側にあって、第一係合部２１が係合した縦筋１１Ａと隣り合う縦筋１１Ｂ）と係合しておらず、図７Ｂに示すように当該縦筋１１Ｂの上方に位置している。
【００６１】
そこで、作業者は、第三延出部２６が第二延出部２５を支点として揺動するように左側の連結部２３Ｌを変形させる。これにより、左側の第二係合部２２Ｌは、図７Ｂに示すように縦筋１１Ｂの下方位置へ回り込み、当該縦筋１１Ｂに下方から係合する（引っ掛かる）ようになる。以上までの手順が終了した時点で位置保持具２０の取り付けが完了する。
【００６２】
以上のような手順にて位置保持具２０が第一網状鉄筋１０Ａ及び第二網状鉄筋１０Ｂの各々に取り付けられることで、以降、第一係合部２１が係合した縦筋１１Ａと左側の第二係合部２２Ｌが係合した縦筋１１Ｂとの間隔、すなわち、第一鉄筋間隔ｄ１が第二方向において左側の連結部２３Ｌの延出量に応じた長さに保たれるようになる。同様に、第一係合部２１が係合した縦筋１１Ａと右側の第二係合部２２Ｒが係合した縦筋１１Ｂとの間隔、すなわち、第二鉄筋間隔ｄ２が第二方向において右側の連結部２３Ｒの延出量に応じた長さに保たれるようになる。
【００６３】
したがって、作業者は、重なり領域Ｗ内で第一網状鉄筋１０Ａ及び第二網状鉄筋１０Ｂに取り付けられている位置保持具２０を視認することで、第一網状鉄筋１０Ａ及び第二網状鉄筋１０Ｂが所定の重ね代ｔにて重ねられていることを確認することが可能となる。このとき、位置保持具２０の表面が黄色にて着色されているため、上記の確認作業を容易に行うことが可能である。
【００６４】
＜＜その他の実施形態＞＞
以上までに本発明の位置保持具及びコンクリート構造物の構成について具体例を挙げて説明してきた。ただし、上記の実施形態は、あくまでも一例に過ぎず、他の実施形態も考えられる。例えば、上記の実施形態では、左側の連結部２３Ｌがその途中位置にてクランク状に屈曲していることとしたが、これに限定されるものではない。左側の連結部２３Ｌが第一係合部２１から左側の第二係合部２２Ｌに達する位置まで直線状に延出している構成であってもよい。
【００６５】
また、上記の実施形態では、位置保持具２０の両端部に第二係合部２２Ｌ、２２Ｒが設けられていることとしたが、これに限定されるものではない。位置保持具２０の一端部に一つだけ第二係合部が設けられていてもよい。
【００６６】
また、上記の実施形態では、建物の床をなすコンクリート構造物１を構築する際に、折り重ねられた複数の網状鉄筋１０の各々を保持するために位置保持具２０を用いることとした。ただし、構築対象のコンクリート構造物１については、床に限定されず、折り重ねられた複数の網状鉄筋１０が内部に埋設された構造のコンクリート構造物１であればよく、床以外のコンクリート構造物１を構築する際にも本発明の位置保持具を利用することが可能である。
【符号の説明】
【００６７】
１  コンクリート構造物
１０  網状鉄筋
１０Ａ  第一網状鉄筋
１０Ｂ  第二網状鉄筋
１１Ａ  縦筋（鉄筋）
１１Ｂ  縦筋（鉄筋）
１２Ａ  横筋
１２Ｂ  横筋
２０  位置保持具
２１  第一係合部
２２Ｌ  第二係合部
２２Ｒ  第二係合部
２３Ｌ  連結部
２３Ｒ  連結部
２４  第一延出部
２５  第二延出部
２６  第三延出部
Ｗ  重なり領域
【図１】
2019035213.tif 000003
【図２Ａ】
2019035213.tif 000004
【図２Ｂ】
2019035213.tif 000005
【図３】
2019035213.tif 000006
【図４】
2019035213.tif 000007
【図５】
2019035213.tif 000008
【図６】
2019035213.tif 000009
【図７Ａ】
2019035213.tif 000010
【図７Ｂ】
2019035213.tif 000011